(57)【特許請求の範囲】
【請求項１】
装飾体と一体的に形成された可動部材を、相互に対向配置される第１固定部材と第２固定部材の間に配置し、前記可動部材を、前記第１固定部材及び前記第２固定部材に沿って移動させることで、前記装飾体を定常位置と移動位置の間で移動させる可動演出装置を備え、
前記可動部材は、前記第１固定部材との対向面に、前記第１固定部材に向けて突出し、前記可動部材の移動時に前記可動部材をガイドするガイド部を有しており、
前記第１固定部材は、前記可動部材との対向面に前記可動部材に向けて突出し、前記装飾体を前記定常位置及び／又は前記移動位置に停止させたときに前記ガイド部が位置する停止箇所に形成された凸部を有しており、
前記凸部及びガイド部の一方における前記凸部及びガイド部の他方が当接する当接部は、前記停止箇所に近づくように移動してきた前記ガイド部が前記凸部に当接し始める位置からその先に掛けて突出量が漸増する傾斜状に形成されており、前記停止箇所に近づいてきた前記ガイド部が前記当接部上を進むことで、前記可動部材を前記第２固定部材側に押圧し、前記第１固定部材と前記第２固定部材によって前記可動部材を挟持するようになっていることを特徴とする遊技機。
【請求項２】
装飾体と一体的に形成された可動部材を、相互に対向配置される第１固定部材と第２固定部材の間に配置し、前記可動部材を、前記第１固定部材及び前記第２固定部材に沿って移動させることで、前記装飾体を定常位置と移動位置の間で移動させる可動演出装置を備え、
前記可動部材は、前記第１固定部材との対向面に、前記第１固定部材に向けて突出した凸部を有しており、
前記第１固定部材は、前記可動部材との対向面における前記装飾体を前記定常位置及び／又は前記移動位置に停止させたときに前記凸部が位置する停止箇所に前記可動部材に向けて突出し、前記可動部材の移動時に前記可動部材をガイドするガイド部を有しており、
前記凸部及びガイド部の一方における前記凸部及びガイド部の他方が当接する当接部は、前記停止箇所に近づくように移動してきた前記凸部が前記ガイド部に当接し始める位置からその先に掛けて突出量が漸増する傾斜状に形成されており、前記停止箇所に近づいてきた前記凸部の前記当接部上を前記ガイド部が進むことで、前記可動部材を前記第２固定部材側に押圧し、前記第１固定部材と前記第２固定部材によって前記可動部材を挟持するようになっていることを特徴とする遊技機。
【発明の詳細な説明】
【技術分野】
【０００１】
本発明は遊技機に関し、特に、可動演出装置を有する遊技機に関するものである。
【背景技術】
【０００２】
従来、パチンコ遊技機等の遊技機においては、遊技盤の表面側に形成された遊技領域に可動演出用の装飾体を備えているものがある。また、そのような装飾体の中には、可動部材に固定されていて、その可動部材が移動することで装飾体が定常位置と移動位置の間を移動可能に構成されたものもある（例えば、特許文献１及び２参照）。
【先行技術文献】
【特許文献】
【０００３】
【特許文献１】特許第４６２３３３１号公報
【特許文献２】特開２０１０−１１９７１０号公報
【発明の概要】
【発明が解決しようとする課題】
【０００４】
しかしながら、前記したような移動する可動部材の動きにガタつきが生じたり、可動部材の停止状態が不安定であったりすると、装飾体の動きが不自然になったり、停止したときの装飾体の姿勢が乱れてしまう等の問題が生じる虞があった。
【０００５】
本発明は、このような事情に鑑みてなされたものであり、可動部材と一体に形成された装飾体を安定的に移動できると共に安定的に停止することができるような構成を有する遊技機を提供することを目的とする。
【課題を解決するための手段】
【０００６】
かかる課題を解決するために、本発明の請求項１に記載の発明は、装飾体と一体的に形成された可動部材を、相互に対向配置される第１固定部材と第２固定部材の間に配置し、前記可動部材を、前記第１固定部材及び前記第２固定部材に沿って移動させることで、前記装飾体を定常位置と移動位置の間で移動させる可動演出装置を備え、前記可動部材は、前記第１固定部材との対向面に、前記第１固定部材に向けて突出し、前記可動部材の移動時に前記可動部材をガイドするガイド部を有しており、前記第１固定部材は、前記可動部材との対向面に前記可動部材に向けて突出し、前記装飾体を前記定常位置及び／又は前記移動位置に停止させたときに前記ガイド部が位置する停止箇所に形成された凸部を有しており、前記凸部及びガイド部の一方における前記凸部及びガイド部の他方が当接する当接部は、前記停止箇所に近づくように移動してきた前記ガイド部が前記凸部に当接し始める位置からその先に掛けて突出量が漸増する傾斜状に形成されており、前記停止箇所に近づいてきた前記ガイド部が前記当接部上を進むことで、前記可動部材を前記第２固定部材側に押圧し、前記第１固定部材と前記第２固定部材によって前記可動部材を挟持するようになっている遊技機としたことを特徴とする。
【０００７】
また、本発明の請求項２に記載の発明は、装飾体と一体的に形成された可動部材を、相互に対向配置される第１固定部材と第２固定部材の間に配置し、前記可動部材を、前記第１固定部材及び前記第２固定部材に沿って移動させることで、前記装飾体を定常位置と移動位置の間で移動させる可動演出装置を備え、前記可動部材は、前記第１固定部材との対向面に、前記第１固定部材に向けて突出した凸部を有しており、前記第１固定部材は、前記可動部材との対向面における前記装飾体を前記定常位置及び／又は前記移動位置に停止させたときに前記凸部が位置する停止箇所に前記可動部材に向けて突出し、前記可動部材の移動時に前記可動部材をガイドするガイド部を有しており、前記凸部及びガイド部の一方における前記凸部及びガイド部の他方が当接する当接部は、前記停止箇所に近づくように移動してきた前記凸部が前記ガイド部に当接し始める位置からその先に掛けて突出量が漸増する傾斜状に形成されており、前記停止箇所に近づいてきた前記凸部の前記当接部上を前記ガイド部が進むことで、前記可動部材を前記第２固定部材側に押圧し、前記第１固定部材と前記第２固定部材によって前記可動部材を挟持するようになっている遊技機としたことを特徴とする。
【０００９】
これら請求項１〜２に係る発明によれば、可動部材と一体に形成された装飾体を安定的に移動できると共に安定的に停止することができるような構成を有する遊技機とすることができる。
【図面の簡単な説明】
【００１０】
【図１】本発明の第１の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の可動演出装置を表面側からみた斜視図である。
【図５】同パチンコ遊技機の可動演出装置を背面側からみた斜視図である。
【図６】同パチンコ遊技機の可動演出装置のカバー部材を取り外した状態を背面側からみた斜視図である。
【図７】同パチンコ遊技機の可動演出装置の正面図である。
【図８】同パチンコ遊技機の可動演出装置の上面図である。
【図９】同パチンコ遊技機の可動演出装置の下面図である。
【図１０】図７のＡ−Ａ断面図である。
【図１１】同パチンコ遊技機の可動演出装置におけるガイド部と係止凸部を示し、（ａ）は可動部材の移動時、（ｂ）は可動部材の停止時を示す概略図である。
【図１２】本発明の第２の実施の形態におけるパチンコ遊技機の可動演出装置におけるガイド部と係止凸部を示し、（ａ）は可動部材の移動時、（ｂ）は可動部材の停止時を示す概略図である。
【図１３】本発明の第３の実施の形態におけるパチンコ遊技機の可動演出装置におけるガイド部と係止凸部を示し、（ａ）は可動部材の移動時、（ｂ）は可動部材の停止時を示す概略図である。
【図１４】本発明の第４の実施の形態におけるパチンコ遊技機の可動演出装置におけるガイド部と係止凸部を示し、（ａ）は可動部材の移動時、（ｂ）は可動部材の停止時を示す概略図である。
【図１５】本発明の第５の実施の形態におけるパチンコ遊技機の可動演出装置におけるガイド部と係止凸部を示す概略図である。
【図１６】同パチンコ遊技機の可動演出装置におけるガイド部を別角度からみた概略図である。
【発明を実施するための形態】
【００１１】
以下、本発明の実施の形態における遊技機について図面を参照しながら説明する。なお、本発明の実施の形態では、遊技機としてパチンコ遊技機を例に説明している。
［第１の実施の形態］
【００１２】
まず、本発明の第１の実施の形態における遊技機全体の概略構成について図１及び図２を用いて説明する。図１は、本発明の第１の実施の形態におけるパチンコ遊技機を表面側からみた斜視図であり、図２は、同パチンコ遊技機を背面側からみた斜視図である。
【００１３】
本発明の第１の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動演出装置及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１４】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１５】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１６】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１７】
上述の遊技盤３０は、前枠１２の後面に装着されている。以下、この遊技盤３０及び遊技盤３０に備えられる各構成部材について図３を参照して詳細に説明する。図３は、本発明の第１の実施の形態における遊技盤３０の正面図である。この遊技盤３０は、上述のように前枠１２の後面に装着されており、窓枠１３の透明板１７ａに前方から覆われている。
【００１８】
遊技板３１は、その板面（遊技盤３０の盤面）等に遊技盤３０の有する各構成部材を固定するための板である。ガイドレール３２は、この遊技板３１の表面側に固定されて、この遊技板３１上に、パチンコ球の発射通路３１ａと、パチンコ球が転動する転動領域３１ｃ（後述）を含む遊技領域３１ｂとを区画形成する。遊技盤３０における遊技領域３１ｂのほぼ中央部には、遊技板３１に貫設された開口部３８が形成されている。この開口部３８の周縁には、センター装飾部材４０が形成されている。また、開口部３８の周縁のうちの上方位置には、電気的に駆動させて所定の動きをする可動演出装置１００（後述）が配設されている。また、本実施の形態では、開口部３８の下部を覆うように、ステージ５０が形成されている。
【００１９】
また、遊技領域３１ｂにおいては、遊技板３１に形成された開口部３８の周囲の少なくとも一部に、パチンコ球が転動しながら流下する転動領域３１ｃが形成されている。本実施の形態では、ガイドレール３２と開口部３８との間の領域で、開口部３８の上方から左方及び右下方までの領域が転動領域３１ｃとなっている。
【００２０】
また、転動領域３１ｃにおける遊技板３１の板面上には、パチンコ球の流下方向を変化させる複数の遊技釘（障害部材）３９が打ち込まれている。上述の打球槌が弾いたパチンコ球は、発射通路３１ａを通して遊技領域３１ｂ内の転動領域３１ｃに放出される。そして、転動領域３１ｃに放出されたパチンコ球は、遊技釘３９に当たって転動しながら転動領域３１ｃを流下し、最終的に何れかの入賞口又は遊技領域の最下方に位置するアウト口３６に入るようになっている。
【００２１】
また、遊技板３１に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００２２】
また、遊技領域３１ｂ内において、演出表示装置３７の下方の転動領域３１ｃには、始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されている。
【００２３】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２４】
また、遊技領域３１ｂの所定位置（本実施の形態では、開口部３８の周縁に装着されたセンター装飾部材４０の左側方）にはワープ通路９０が設けられており、遊技領域３１ｂにおける転動領域３１ｃの途中（本実施の形態では、開口部３８の周縁に装着されたセンター装飾部材４０の左側方の上部）にワープ通路９０の球入口９１が形成されており、また、遊技領域３１ｂにおけるステージ５０付近（本実施の形態では、開口部３８の周縁に装着されたセンター装飾部材４０の左側方の下部でステージ５０に繋がる位置）にワープ通路９０の球出口９２が形成されている。そして、本実施の形態では、転動領域３１ｃに転動するパチンコ球が、球入口９１からワープ通路９０に入り、当該ワープ通路９０内を通って、球出口９２から放出されることで、パチンコ球がステージ５０に誘導されるようになっている。
【００２５】
また、転動領域３１ｃ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２６】
以下、本実施の形態における可動演出装置１００について図４〜図１１を参照して詳細に説明する。図４は、本発明の第１の実施の形態におけるパチンコ遊技機の可動演出装置を表面側からみた斜視図であり、図５は、同パチンコ遊技機の可動演出装置を背面側からみた斜視図であり、図６は、同パチンコ遊技機の可動演出装置のカバー部材を取り外した状態を背面側からみた斜視図であり、図７は、同パチンコ遊技機の可動演出装置の正面図であり、図８は、同パチンコ遊技機の可動演出装置の上面図であり、図９は、同パチンコ遊技機の可動演出装置の下面図であり、図１０は、図７のＡ−Ａ断面図であり、図１１は、同パチンコ遊技機の可動演出装置におけるガイド部と係止凸部を示し、（ａ）は可動部材の移動時、（ｂ）は可動部材の停止時を示す概略図である。
【００２７】
本実施の形態における可動演出装置１００は、図３に示すように、開口部３８の上方位置に配設されており（すなわち、センター装飾部材４０の上部を構成している）、装飾体１１０が、実線で示す定常位置（上端位置）と、点線で示す移動位置（下端位置）との間を矢印方向Ｂに往復移動（往復スライド移動）する構成となっている。また、この可動演出装置１００は、図４〜図１１に示すように、装飾体１１０と第２固定部材としてのベース部材１２０、可動部材１３０、第１固定部材としてのカバー部材１４０を有する構成となっている。そして、この可動演出装置１００は、装飾体１１０と一体的に形成された可動部材１３０が所定の位置で往復移動可能となっており、これにより装飾体１１０がベース部材１２０上の定常位置（可動演出装置１００の装飾体１１０が実線で示す上端位置となる箇所）と移動位置（可動演出装置１００の装飾体１１０が点線で示す下端位置となる箇所）の間を矢印方向Ｂに往復移動可能に構成されている。また、可動部材１３０が、相互に対向配置されるベース部材１２０とカバー部材１４０の間に配置されている。これにより、可動部材を、ベース部材１２０の対向面１２０ａに沿わせた状態で、ベース部材１２０及びカバー部材１４０の対向面１２０ａ，１４０ａと平行な方向に往復移動可能に保持している。なお、図４〜図１０は、装飾体１１０が定常位置（上端位置）に停止している状態であり、図１１（ａ）は、装飾体１１０が定常位置（上端位置）から移動位置（下端位置）に移動中の状態、図１１（ｂ）は、装飾体１１０が移動位置（下端位置）に停止している状態である。
【００２８】
以下、本実施の形態における可動演出装置１００の機構について、図４〜図１１を参照して説明する。
【００２９】
本実施の形態の第２固定部材としてのベース部材１２０は、装飾体１１０の背面側に所定の間隔を空けて配設されており、センター装飾部材４０に固定されている。このベース部材１２０には、図６に示すように、可動部材（スライダ）１３０を往復移動させるための駆動源（モータ）１２２が配置されており、この駆動力を伝達するピニオンギア１２３が配置されている。
【００３０】
本実施の形態の可動部材１３０は、図１０に示すように、装飾体１１０と略平行に配置されており、下端部から略Ｌ字状に延びた係合部１３５が装飾体１１０の下端部と係合しており、これにより、装飾体１１０と可動部材が一体に移動可能に固定されている。また、この可動部材１３０には、ベース部材１２０のピニオンギア１２３と歯合するラック１３２が上下方向（矢印方向Ｂ）に形成されており、駆動源１２２の駆動力が、ピニオンギア１２３を介してラック１３２に伝達され、ラック１３２が固定された可動部材１３０が上下方向（矢印方向Ｂ）にスライド移動するようになっており、これに伴い、装飾体１１０が定常位置（上端位置）と移動位置（下端位置）の間を上下方向（矢印方向Ｂ）にスライド移動するようになっている。
【００３１】
また、可動部材１３０には、図６に示すように、ガイドローラからなるガイド部１３１が形成されている。このガイド部１３１は、カバー部材１４０との対向面１３０ａにカバー部材１４０に向けて突出しており、図１１（ａ）に示すように、可動部材１３０が装飾体１１０の定常位置と移動位置の間を移動するときには、カバー部材１４０に当接して回動しながら可動部材１３０が遊技機の前後方向にガタつかないようにガイドするようになっている。また、ガイド部１３１は、装飾体１１０を移動位置に停止させたときに、ガイド部１３１を後述する係止凸部（凸部）１４１に当接させて可動部材１３０をベース部材１２０側に押圧するようになっている。
【００３２】
また、図６に示すように、可動部材１３０の対向面１３０ａには、カバー部材１４０側に突出されて上下方向に延びるリブ１３３，１３４が設けられている。さらに、可動部材１３０の上端位置付近には、ガイドローラからなる第２ガイド部１３６が配置されている。この第２ガイド部１３６は、後述するカバー部材１４０のリブ１４２に当接するように配置されている。
【００３３】
本実施の形態の第１固定部材としてのカバー部材１４０は、図１０に示すように、可動部材１３０を介してベース部材１２０と対向するように配置されており、可動部材１３０との対向面１４０ａには、図８に示すように、可動部材１３０側に突出されて上下方向に延びるリブ１４２，１４３が形成されている。このリブ１４２，１４３は、前記した可動部材１３０のリブ１３３，１３４に沿うように形成されており、これにより、可動部材１３０の左右方向の配置位置を規定するようになっている。また、２つのリブのうちのリブ１４２については、可動部材１３０に配置された第２ガイド部１３６に当接するように配置されており、これにより、可動部材１３０が遊技機の左右方向にガタつかないようにガイドするようになっている。
【００３４】
また、図５，１０に示すように、カバー部材１４０における装飾体１１０を移動位置（可動部材１３０の移動範囲の下端位置）に停止させたときにガイド部１３１が位置する停止箇所（図１１（ｂ）参照）には、本実施の形態の凸部としての係止凸部１４１が形成されている。この係止凸部１４１は、図１１（ｂ）に示すように、装飾体１１０を移動位置に停止させたときに、ガイド部１３１を係止凸部１４１に当接させて可動部材１３０をベース部材１２０側に押圧するものであり、可動部材１３０との対向面１４０ａにおいて、可動部材１３０側に突出するものである。
【００３５】
図１１（ａ），（ｂ）に示すように、この係止凸部１４１には当接部１４７が形成されている。この当接部１４７は係止凸部１４１においてガイド部１３１が当接する箇所であり、突出量が漸増する傾斜状に形成されている。詳述すると、当接部１４７は、前記した停止箇所に近づくように（ここでは、上側から下側に）移動してきたガイド部１３１が係止凸部１４１に当接し始める位置（ここでは、当接部１４７が形成された最も上側の位置）からその先（下側の位置）に掛けて突出量が漸増する傾斜状に形成されている。そして、ガイド部１３１の停止箇所に近づいてきたガイド部１３１が、図１１（ｂ）に示すように、傾斜状に形成された当接部１４７上を進む（ここでは、下側に進む）ように誘導されることで、ガイド部１３１が自然と第２固定部材としてのベース部材１２０側（すなわち、図１１（ｂ）の左側）に押圧される。これにより、可動部材１３０がベース部材１２０側に押圧されて、可動部材１３０が安定的に停止するように保持される。その結果、可動部材１３０と一体的に形成された装飾体１１０が移動位置で安定的に停止することができるものである。
【００３６】
このようなガイド部１３１及び係止凸部１４１の構成により、可動部材１３０を移動位置に安定的に停止させることができるようになっている。また、ガイド部１３１がガイドローラからなっており、係止凸部１４１の当接部１４７が傾斜状に構成されていることで、逆に停止状態から移動を開始する（上側に移動を開始する）際にも、ガイド部１３１がスムーズに係止凸部１４１との停止状態から解除できるようになっている。
【００３７】
以上のように、本実施の形態のパチンコ遊技機（遊技機）１０は、装飾体１１０と一体的に形成された可動部材１３０を、相互に対向配置されるカバー部材（第１固定部材）１４０とベース部材（第２固定部材）１２０の間に配置し、前記可動部材１３０を、前記カバー部材（第１固定部材）１４０及びベース部材（第２固定部材）１２０に沿って移動させることで、前記装飾体１１０を定常位置と移動位置の間で移動させる可動演出装置１００を備え、前記可動部材１３０は、前記カバー部材（第１固定部材）１４０との対向面１３０ａに、前記カバー部材（第１固定部材）１４０に向けて突出し、前記可動部材１３０の移動時に前記可動部材１３０をガイドするガイド部１３１を有しており、前記カバー部材（第１固定部材）１４０は、前記可動部材１３０との対向面１４０ａに前記可動部材１３０に向けて突出し、前記装飾体１１０を前記移動位置に停止させたときに前記ガイド部１３１が位置する停止箇所に形成された係止凸部（凸部）１４１を有しており、前記係止凸部（凸部）１４１における前記ガイド部１３１が当接する当接部１４７は、前記停止箇所に近づくように移動してきた前記ガイド部１３１が前記係止凸部（凸部）１４１に当接し始める位置からその先に掛けて突出量が漸増する傾斜状に形成されており、前記停止箇所に近づいてきた前記ガイド部１３１が前記当接部１４７上を進むことで、前記ガイド部１３１を前記ベース部材（第２固定部材）１２０側に押圧するようになっているパチンコ遊技機（遊技機）１０としたことを特徴とする。
【００３８】
そして、本実施の形態のパチンコ遊技機（遊技機）１０によれば、可動部材１３０の移動中はガイド部１３１がカバー部材（第１固定部材）１４０に当接しながら移動し、可動部材１３０が移動位置で停止中はガイド部１３１が係止凸部（凸部）１４１に係止されることで、可動部材１３０と一体に形成された装飾体１１０をガタつきなく安定的に移動できると共に安定的に停止することができるような構成を有する遊技機とすることができる。また、移動位置においてガイド部１３１を係止凸部１４１の当接部１４７に当接させて停止状態にさせる際に、係止凸部１４１の当接部１４７がガイド部１３１を誘導すると共にベース部材（第２固定部材）１２０側に押圧する傾斜状に形成されており、確実かつスムーズに可動部材１３０を移動位置で安定的に停止させることができるようになっている。
［第２の実施の形態］
【００３９】
次に、本発明の第２の実施の形態に係るパチンコ遊技機１０Ａについて、図１２を用いて説明する。なお、本実施の形態のパチンコ遊技機１０Ａは、下記のガイド部１３１Ａと係止凸部１２１Ａに関する構成以外は、前記した第１の実施の形態と同様であるので、同様の構成に同じ符号を付して、説明を省略する。
【００４０】
本実施の形態のパチンコ遊技機１０Ａでは、図１２（ａ），（ｂ）に示すように、可動演出装置１００Ａにおける第１固定部材としてのベース部材１２０Ａに凸部としての係止凸部１２１Ａが形成されており、可動部材１３０Ａのこれに対向する面１３０ｂにガイド部１３１Ａが形成されているものである。さらに、この係止凸部１２１Ａには当接部１２７Ａが形成されている。この当接部１２７Ａは係止凸部１２１Ａにおいてガイド部１３１Ａが当接する箇所であり、突出量が漸増する傾斜状に形成されている。詳述すると、当接部１２７Ａは、前記した停止箇所に近づくように（ここでは、上側から下側に）移動してきたガイド部１３１Ａが係止凸部１２１Ａに当接し始める位置（ここでは、当接部１２７Ａが形成された最も上側の位置）からその先（下側の位置）に掛けて突出量が漸増する傾斜状に形成されている。そして、ガイド部１３１Ａの停止箇所に近づいてきたガイド部１３１Ａが、図１２（ｂ）に示すように、傾斜状に形成された当接部１２７Ａ上を進む（ここでは、下側に進む）ように誘導されることで、ガイド部１３１Ａが自然と第２固定部材としてのカバー部材１４０Ａ側（すなわち、図１２（ｂ）の右側）に押圧される。これにより、可動部材１３０Ａがカバー部材１４０Ａ側に押圧されて、可動部材１３０Ａが安定的に停止するように保持される。その結果、可動部材１３０Ａと一体的に形成された装飾体１１０が移動位置で安定的に停止することができるものである。
【００４１】
このようなガイド部１３１Ａ及び係止凸部１２１Ａの構成により、可動部材１３０Ａを移動位置に安定的に停止させることができるようになっている。また、ガイド部１３１Ａがガイドローラからなっており、係止凸部１２１Ａの当接部１２７Ａが傾斜状に構成されていることで、逆に停止状態から移動を開始する（上側に移動を開始する）際にも、ガイド部１３１Ａがスムーズに係止凸部１２１Ａとの停止状態から解除できるようになっている。
【００４２】
以上のように、本実施の形態のパチンコ遊技機（遊技機）１０Ａは、装飾体１１０と一体的に形成された可動部材１３０Ａを、相互に対向配置されるベース部材（第１固定部材）１２０Ａとカバー部材（第２固定部材）１４０Ａの間に配置し、前記可動部材１３０Ａを、前記ベース部材（第１固定部材）１２０Ａ及び前記カバー部材（第２固定部材）１４０Ａに沿って移動させることで、前記装飾体１１０を定常位置と移動位置の間で移動させる可動演出装置１００Ａを備え、前記可動部材１３０Ａは、前記ベース部材（第１固定部材）１２０Ａとの対向面１３０ｂに、前記ベース部材（第１固定部材）１２０Ａに向けて突出し、前記可動部材１３０Ａの移動時に前記可動部材１３０Ａをガイドするガイド部１３１Ａを有しており、前記ベース部材（第１固定部材）１２０Ａは、前記可動部材１３０Ａとの対向面１２０ａに前記可動部材１３０Ａに向けて突出し、前記装飾体１１０を前記移動位置に停止させたときに前記ガイド部１３１Ａが位置する停止箇所に形成された係止凸部（凸部）１２１Ａを有しており、前記係止凸部（凸部）１２１Ａにおける前記ガイド部１３１Ａが当接する当接部１２７Ａは、前記停止箇所に近づくように移動してきた前記ガイド部１３１Ａが前記係止凸部（凸部）１２１Ａに当接し始める位置からその先に掛けて突出量が漸増する傾斜状に形成されており、前記停止箇所に近づいてきた前記ガイド部１３１Ａが前記当接部１２７Ａ上を進むことで、前記ガイド部１３１Ａを前記カバー部材（第２固定部材）１４０Ａ側に押圧するようになっているパチンコ遊技機（遊技機）１０Ａとしたことを特徴とする。
【００４３】
そして、本実施の形態のパチンコ遊技機（遊技機）１０Ａによれば、可動部材１３０Ａの移動中はガイド部１３１Ａがベース部材（第１固定部材）１２０Ａに当接しながら移動し、可動部材１３０Ａが移動位置で停止中はガイド部１３１Ａが係止凸部（凸部）１２１Ａに係止されることで、可動部材１３０Ａと一体に形成された装飾体１１０をガタつきなく安定的に移動できると共に安定的に停止することができるような構成を有する遊技機とすることができる。また、移動位置においてガイド部１３１Ａを係止凸部１２１Ａの当接部１２７Ａに当接させて停止状態にさせる際に、係止凸部１２１Ａの当接部１２７Ａがガイド部１３１Ａを誘導すると共にカバー部材（第２固定部材）１４０Ａ側に押圧する傾斜状に形成されており、確実かつスムーズに可動部材１３０Ａを移動位置で安定的に停止させることができるようになっている。
［第３の実施の形態］
【００４４】
次に、本発明の第３の実施の形態に係るパチンコ遊技機１０Ｂについて、図１３を用いて説明する。なお、本実施の形態のパチンコ遊技機１０Ｂは、下記のガイド部１４１Ｂと係止凸部１３１Ｂに関する構成以外は、前記した第１の実施の形態と同様であるので、同様の構成に同じ符号を付して、説明を省略する。
【００４５】
本実施の形態のパチンコ遊技機１０Ｂでは、図１３（ａ），（ｂ）に示すように、可動演出装置１００Ｂにおける可動部材１３０Ｂに凸部としての係止凸部１３１Ｂが形成されており、第１固定部材としてのカバー部材１４０Ｂのこれに対向する面１４０ａにガイド部１４１Ｂが形成されているものである。さらに、この係止凸部１３１Ｂには当接部１３７Ｂが形成されている。この当接部１３７Ｂは係止凸部１３１Ｂにおいてガイド部１４１Ｂが当接する箇所であり、突出量が漸増する傾斜状に形成されている。詳述すると、当接部１３７Ｂは、前記した停止箇所に近づくように（ここでは、上側から下側に）移動してきた係止凸部１３１Ｂがガイド部１４１Ｂに当接し始める位置（ここでは、当接部１３７Ｂが形成された最も下側の位置）からその先（上側の位置）に掛けて突出量が漸増する傾斜状に形成されている。そして、図１３（ｂ）に示すように、係止凸部１３１Ｂの停止箇所に近づいてきた係止凸部１３１Ｂの傾斜状に形成された当接部１３７Ｂ上をガイド部１４１Ｂが進む（ここでは、相対的に上側に進む）ように誘導されることで、ガイド部１４１Ｂが自然と第２固定部材としてのベース部材１２０Ｂ側（すなわち、図１３（ｂ）の左側）に押圧される。これにより、可動部材１３０Ｂがベース部材１２０Ｂ側に押圧されて、可動部材１３０Ｂが安定的に停止するように保持される。その結果、可動部材１３０Ｂと一体的に形成された装飾体１１０が移動位置で安定的に停止することができるものである。
【００４６】
このようなガイド部１４１Ｂ及び係止凸部１３１Ｂの構成により、可動部材１３０Ｂを移動位置に安定的に停止させることができるようになっている。また、ガイド部１４１Ｂがガイドローラからなっており、係止凸部１３１Ｂの当接部１３７Ｂが傾斜状に構成されていることで、逆に停止状態から移動を開始する（上側に移動を開始する）際にも、ガイド部１４１Ｂがスムーズに係止凸部１３１Ｂとの停止状態から解除できるようになっている。
【００４７】
以上のように、本実施の形態のパチンコ遊技機（遊技機）１０Ｂは、装飾体１１０と一体的に形成された可動部材１３０Ｂを、相互に対向配置されるカバー部材（第１固定部材）１４０Ｂとベース部材（第２固定部材）１２０Ｂの間に配置し、前記可動部材１３０Ｂを、前記カバー部材（第１固定部材）１４０Ｂ及びベース部材（第２固定部材）１２０Ｂに沿って移動させることで、前記装飾体１１０を定常位置と移動位置の間で移動させる可動演出装置１００Ｂを備え、前記可動部材１３０Ｂは、前記カバー部材（第１固定部材）１４０Ｂとの対向面１３０ａに、前記カバー部材（第１固定部材）１４０Ｂに向けて突出した係止凸部（凸部）１３１Ｂを有しており、前記カバー部材（第１固定部材）１４０Ｂは、前記可動部材１３０Ｂとの対向面１４０ａにおける前記装飾体１１０を前記移動位置に停止させたときに前記係止凸部（凸部）１３１Ｂが位置する停止箇所に前記可動部材１３０Ｂに向けて突出し、前記可動部材１３０Ｂの移動時に前記可動部材１３０Ｂをガイドするガイド部１４１Ｂを有しており、前記係止凸部（凸部）１３１Ｂにおける前記ガイド部１４１Ｂが当接する当接部１３７Ｂは、前記停止箇所に近づくように移動してきた前記係止凸部（凸部）１３１Ｂが前記ガイド部１４１Ｂに当接し始める位置からその先に掛けて突出量が漸増する傾斜状に形成されており、前記停止箇所に近づいてきた前記係止凸部（凸部）１３１Ｂの前記当接部１３７Ｂ上を前記ガイド部１４１Ｂが進むことで、前記係止凸部（凸部）１３１Ｂを前記記ベース部材（第２固定部材）１２０Ｂ側に押圧するようになっているパチンコ遊技機（遊技機）１０Ｂとしたことを特徴とする。
【００４８】
そして、本実施の形態のパチンコ遊技機（遊技機）１０Ｂによれば、可動部材１３０Ｂの移動中はガイド部１４１Ｂが可動部材１３０Ｂに当接しながら移動し、可動部材１３０Ｂが移動位置で停止中はガイド部１４１Ｂが係止凸部（凸部）１３１Ｂに係止されることで、可動部材１３０Ｂと一体に形成された装飾体１１０をガタつきなく安定的に移動できると共に安定的に停止することができるような構成を有する遊技機とすることができる。また、移動位置において係止凸部１３１Ｂの当接部１３７Ｂをガイド部１４１Ｂに当接させて停止状態にさせる際に、ガイド部１４１Ｂに当接した係止凸部１３１Ｂの当接部１３７Ｂが係止凸部１３１Ｂを誘導すると共にベース部材（第２固定部材）１２０Ｂ側に押圧する傾斜状に形成されており、確実かつスムーズに可動部材１３０Ｂを移動位置で安定的に停止させることができるようになっている。
［第４の実施の形態］
【００４９】
次に、本発明の第４の実施の形態に係るパチンコ遊技機１０Ｃについて、図１４を用いて説明する。なお、本実施の形態のパチンコ遊技機１０Ｃは、下記のガイド部１２１Ｃと係止凸部１３１Ｃに関する構成以外は、前記した第１の実施の形態と同様であるので、同様の構成に同じ符号を付して、説明を省略する。
【００５０】
本実施の形態のパチンコ遊技機１０Ｃでは、図１４（ａ），（ｂ）に示すように、可動演出装置１００Ｃにおける可動部材１３０Ｃに凸部としての係止凸部１３１Ｃが形成されており、第１固定部材としてのベース部材１２０Ｃのこれに対向する面１２０ａにガイド部１２１Ｃが形成されているものである。さらに、この係止凸部１３１Ｃには当接部１３７Ｃが形成されている。この当接部１３７Ｃは係止凸部１３１Ｃにおいてガイド部１２１Ｃが当接する箇所であり、突出量が漸増する傾斜状に形成されている。詳述すると、当接部１３７Ｃは、前記した停止箇所に近づくように（ここでは、上側から下側に）移動してきた係止凸部１３１Ｃがガイド部１２１Ｃに当接し始める位置（ここでは、当接部１３７Ｃが形成された最も下側の位置）からその先（上側の位置）に掛けて突出量が漸増する傾斜状に形成されている。そして、図１４（ｂ）に示すように、係止凸部１３１Ｃの停止箇所に近づいてきた係止凸部１３１Ｃの傾斜状に形成された当接部１３７Ｃ上をガイド部１２１Ｃが進む（ここでは、相対的に上側に進む）ように誘導されることで、ガイド部１Ｃ１Ｃが自然と第２固定部材としてのカバー部材１４０Ｃ側（すなわち、図１４（ｂ）の右側）に押圧される。これにより、可動部材１３０Ｃがカバー部材１４０Ｃ側に押圧されて、可動部材１３０Ｃが安定的に停止するように保持される。その結果、可動部材１３０Ｃと一体的に形成された装飾体１１０が移動位置で安定的に停止することができるものである。
【００５１】
このようなガイド部１２１Ｃ及び係止凸部１３１Ｃの構成により、可動部材１３０Ｃを移動位置に安定的に停止させることができるようになっている。また、ガイド部１２１Ｃがガイドローラからなっており、係止凸部１３１Ｃの当接部１３７Ｃが傾斜状に構成されていることで、逆に停止状態から移動を開始する（上側に移動を開始する）際にも、ガイド部１２１Ｃがスムーズに係止凸部１３１Ｃとの停止状態から解除できるようになっている。
【００５２】
以上のように、本実施の形態のパチンコ遊技機（遊技機）１０Ｃは、装飾体１１０と一体的に形成された可動部材１３０Ｃを、相互に対向配置されるベース部材（第１固定部材）１２０Ｃとカバー部材（第２固定部材）１４０Ｃの間に配置し、前記可動部材１３０Ｃを、前記ベース部材（第１固定部材）１２０Ｃ及び前記カバー部材（第２固定部材）１４０Ｃに沿って移動させることで、前記装飾体１１０を定常位置と移動位置の間で移動させる可動演出装置１００Ｃを備え、前記可動部材１３０Ｃは、前記ベース部材（第１固定部材）１２０Ｃとの対向面１３０ｂに、前記ベース部材（第１固定部材）１２０Ｃに向けて突出した係止凸部（凸部）１３１Ｃを有しており、前記ベース部材（第１固定部材）１２０Ｃは、前記可動部材１３０Ｃとの対向面１２０ａにおける前記装飾体１１０を前記移動位置に停止させたときに前記係止凸部（凸部）１３１Ｃが位置する停止箇所に前記可動部材１３０Ｃに向けて突出し、前記可動部材１３０Ｃの移動時に前記可動部材１３０Ｃをガイドするガイド部１２１Ｃを有しており、前記係止凸部（凸部）１３１Ｃにおける前記ガイド部１２１Ｃが当接する当接部１３７Ｃは、前記停止箇所に近づくように移動してきた前記係止凸部（凸部）１３１Ｃが前記ガイド部１２１Ｃに当接し始める位置からその先に掛けて突出量が漸増する傾斜状に形成されており、前記停止箇所に近づいてきた前記係止凸部（凸部）１３１Ｃの前記当接部１３７Ｃ上を前記ガイド部１２１Ｃが進むことで、前記係止凸部（凸部）１３１Ｃを前記記カバー部材（第２固定部材）１４０Ｃ側に押圧するようになっているパチンコ遊技機（遊技機）１０Ｃとしたことを特徴とする。
【００５３】
そして、本実施の形態のパチンコ遊技機（遊技機）１０Ｃによれば、可動部材１３０Ｃの移動中はガイド部１２１Ｃが可動部材１３０Ｃに当接しながら移動し、可動部材１３０Ｃが移動位置で停止中はガイド部１２１Ｃが係止凸部（凸部）１３１Ｃに係止されることで、可動部材１３０Ｃと一体に形成された装飾体１１０をガタつきなく安定的に移動できると共に安定的に停止することができるような構成を有する遊技機とすることができる。
また、移動位置において係止凸部１３１Ｃの当接部１３７Ｃをガイド部１２１Ｃに当接させて停止状態にさせる際に、ガイド部１２１Ｃに当接した係止凸部１３１Ｃの当接部１３７Ｃが係止凸部１３１Ｃを誘導すると共にカバー部材（第２固定部材）１４０Ｃ側に押圧する傾斜状に形成されており、確実かつスムーズに可動部材１３０Ｃを移動位置で安定的に停止させることができるようになっている。
［第５の実施の形態］
【００５４】
次に、本発明の第５の実施の形態に係るパチンコ遊技機１０Ｄについて、図１５〜図１６を用いて説明する。なお、本実施の形態のパチンコ遊技機１０Ｄは、下記のガイド部１３１Ｄに関する構成以外は、前記した第１の実施の形態と同様であるので、同様の構成に同じ符号を付して、説明を省略する。
【００５５】
本実施の形態のパチンコ遊技機１０Ｄでは、図１５〜図１６に示すように、可動演出装置１００Ｄにおけるカバー部材１４０Ｄに係止凸部１４１Ｄが形成されており、可動部材１３０Ｄのこれに対向する面１３０ａに、当該面に対して出没可能で、かつ、可動部材１３０Ｄとの間に介設されるばねＦを有するガイド部１３１Ｄが形成されているものである。この構成により、可動部材１３０Ｄの移動中は、ガイド部１３１ＤがばねＦの付勢力によりカバー部材１４０Ｄ側に付勢された状態でカバー部材１４０Ｄに当接し、可動部材１３０Ｄと一体的に形成された装飾体１１０をより安定して移動させることができる。また、移動位置においてガイド部１３１Ｄを係止凸部１４１Ｄの当接部１４７Ｄに当接させて停止状態にさせる際には、ガイド部１３１Ｄが係止凸部１４１Ｄの当接部１４７Ｄで誘導されてベース部材１２０Ｄ側に押される結果、ばねＦが収縮方向に弾性変形し、その反発力（復元力）を利用して可動部材１３０Ｄをベース部材１２０Ｄ側に押圧することができる。さらに、停止状態から移動を開始する際には、ばねＦの作用により、ガイド部１３１Ｄが係止状態から脱するのを補助することができ、よりスムーズに停止状態から解除できるようになっている。なお、符号Ｊは、ガイドローラからなるガイド部１３１Ｄを軸支する回転軸である。
【００５６】
以上のように、本実施の形態のパチンコ遊技機（遊技機）１０Ｄは、前記した第１〜第４の実施の形態の構成に加え、可動演出装置１００Ｄのガイド部１３１Ｄが、形成される部材１３０Ｄの面１３０ａから出没自在に構成されており、かつ、対向する部材に向けて付勢するばね（付勢手段）Ｆを有しているパチンコ遊技機（遊技機）１０Ｄとしたことを特徴とする。
【００５７】
そして、本実施の形態のパチンコ遊技機（遊技機）１０Ｄによれば、ガイド部１３１Ｄが、形成される部材１３０Ｄの面１３０ａから出没自在に構成されており、かつ、対向する部材に向けて付勢するばね（付勢手段）Ｆを有しているため、移動中及び停止中のガイド部１３１Ｄの押圧力がより強くなってしっかりと可動部材１３０Ｄを支持することができるので、可動部材１３０Ｄと一体に形成された装飾体１１０をよりガタつきなく安定的に移動できると共に安定的に停止することができるような構成を有する遊技機とすることができる。
【００５８】
なお、以上説明した各実施の形態は、本発明の理解を容易にするために記載されたものであって、本発明を限定するために記載されたものではない。
【００５９】
例えば、前記した実施の形態では、遊技機としてパチンコ遊技機を挙げて説明したが、本発明はこれに限るものではなく、パチスロ、アレンジボール等の他の遊技機にも適用可能である。
【００６０】
また、前記した第１〜第５の実施の形態では、係止凸部としてガイド部が係止可能な程度の突起状部が形成されていたが、本発明はこれらに限るものではなく、係止凸部として突起状部以外に、ローラ等、他のものが形成されていても良い。
【００６１】
また、前記した各実施の形態では、ガイド部としてガイドローラが形成されていたが、本発明はこれに限るものではなく、ガイド部としてガイドローラ以外のもの、例えば摺動可能な突起等が形成されていても良い。
【００６２】
また、前記した各実施の形態では、係止凸部が移動位置（下端位置）のみに形成されており、移動位置に達した可動部材を安定的に係止するように構成されていたが、本発明はこれに限るものではなく、係止凸部が定常位置（上端位置）に形成されていて、定常位置に停止した可動部材を安定的に係止するようになっていても良い。また、係止凸部が移動位置と定常位置の双方に形成されていて、双方の位置で可動部材を安定的に係止するようになっていても良い。
【００６３】
また、前記した実施の形態では、ガイド部を係止凸部に誘導すると共に可動部材を第２固定部材に押圧するための当接部として、係止凸部に傾斜を付けたものを有していたが、本発明はこれに限るものではなく、ガイド部側に当該ガイド部を係止凸部に誘導すると共に可動部材を第２固定部材に押圧するための当接部を有していても良いし、係止凸部とガイド部の双方に誘導及び押圧のための構成を有していても良い。
【００６４】
また、前記した実施の形態では、係止凸部に形成した当接部として、傾斜を付けたものを用いて説明したが、本発明はこれに限るものではなく、同様の機能を有していれば、他の形状及び構造のものを適用しても良い。
【符号の説明】
【００６５】
１０，１０Ａ，１０Ｂ，１０Ｃ，１０Ｄ…パチンコ遊技機（遊技機）、１００，１００Ａ，１００Ｂ，１００Ｃ，１００Ｄ…可動演出装置、１１０…装飾体、１２０，１２０Ｂ，１２０Ｄ…ベース部材（第２固定部材）、１２０Ａ，１２０Ｃ…ベース部材（第１固定部材）、１２１Ａ，１３１Ｂ，１３１Ｃ，１４１，１４１Ｄ…係止凸部（凸部）、１２１Ｃ，１３１，１３１Ａ，１３１Ｄ，１４１Ｂ…ガイド部、１２７Ａ，１３７Ｂ，１３７Ｃ，１４７，１４７Ｄ…当接部、１３０，１３０Ａ，１３０Ｂ，１３０Ｃ，１３０Ｄ…可動部材、１４０，１４０Ｂ，１４０Ｄ…カバー部材（第１固定部材）、１４０Ａ，１４０Ｃ…カバー部材（第２固定部材）、Ｆ…ばね（付勢手段）
【図１】
0005686047.tif 000002
【図２】
0005686047.tif 000003
【図３】
0005686047.tif 000004
【図４】
0005686047.tif 000005
【図５】
0005686047.tif 000006
【図６】
0005686047.tif 000007
【図７】
0005686047.tif 000008
【図８】
0005686047.tif 000009
【図９】
0005686047.tif 000010
【図１０】
0005686047.tif 000011
【図１１】
0005686047.tif 000012
【図１２】
0005686047.tif 000013
【図１３】
0005686047.tif 000014
【図１４】
0005686047.tif 000015
【図１５】
0005686047.tif 000016
【図１６】
0005686047.tif 000017